(57)【要約】【課題】本体装置から取り外し可能な表示装置であって、本体装置と表示装置とで調整可能な音量値を一元的に管理することを目的とする。【解決手段】第１のスピーカを有する本体装置から取り外し可能な表示装置であって、第２のスピーカと、調整モードを音声調整モードに切り替えるモード切替部と、前記調整モードが音声調整モードに切り替えられた際に調整された、前記第１又は第２のスピーカから出力される音声の音量値を前記本体装置に送信する第１の通信部と、を有する表示装置が提供される。【選択図】図６
2016032130.tif 000002
【特許請求の範囲】
【請求項１】
第１のスピーカを有する本体装置から取り外し可能な表示装置であって、
第２のスピーカと、
調整モードを音声調整モードに切り替えるモード切替部と、
前記調整モードが音声調整モードに切り替えられた際に調整された、前記第１又は第２のスピーカから出力される音声の音量値を前記本体装置に送信する第１の通信部と、
を有する、表示装置。
【請求項２】
前記モード切替部は、
前記調整モードを輝度調整モードに切り替え、
前記調整モードが輝度調整モードに切り替えられた際に調整された輝度値に基づきディスプレイの明るさを制御する表示制御部を有する、
請求項１に記載の表示装置。
【請求項３】
前記表示制御部は、
前記調整モードの切り替えに応じて前記音量値又は輝度値のいずれかの調整が可能な設定画面を切り替えて前記ディスプレイ上の画像データに重畳させて表示する、
請求項２に記載の表示装置。
【請求項４】
第２のスピーカを有する表示装置を取り外し可能な本体装置であって、
第１のスピーカと、
前記調整モードが音声調整モードに切り替えられた際に調整された、前記第１又は第２のスピーカから出力される音声の音量値を前記表示装置から受信する第２の通信部と、
前記表示装置から受信した音量値に基づき前記第１のスピーカから出力する音声の音量値を制御する音声制御部と、
を有する、本体装置。
【請求項５】
第１のスピーカを有する本体装置と、前記本体装置から取り外し可能な表示装置とを有する情報処理装置であって、
前記表示装置は、
第２のスピーカと、
調整モードを音声調整モードに切り替えるモード切替部と、
前記調整モードが音声調整モードに切り替えられた際に調整された、前記第１又は第２のスピーカから出力される音声の音量値を前記本体装置に送信する第１の通信部とを有し、
前記本体装置は、
前記第１のスピーカと、
前記音量値を前記表示装置から受信する第２の通信部と、
前記表示装置から受信した音量値に基づき前記第１のスピーカから出力される音声の音量値を制御する音声制御部とを有する、
情報処理装置。
【発明の詳細な説明】
【技術分野】
【０００１】
本発明は、表示装置、本体装置及び情報処理装置に関する。
【背景技術】
【０００２】
表示装置（ディスプレイ）が本体装置と一体となったノートパソコンやデスクトップパソコンでは、スピーカの音量調整(Audio Codec)や画面の輝度調整(Embedded Controller)はＯＳにより制御される（例えば、特許文献１及び特許文献２参照）。
【０００３】
表示装置が本体装置から取り外し可能なパソコンの場合、ユーザは、表示装置に取り付けられたボタンを操作し、音量調整等が可能な設定画面をディスプレイに表示させ、その画面内のアイコンを操作して表示装置側で輝度や音量を調整する。音量調整等が可能なアイコンが表示された設定画面をディスプレイ上の映像に重ねて表示させる表示方法をＯＳＤ（Ｏｎ−Ｓｃｒｅｅｎ  Ｄｉｓｐｌａｙ）表示ともいう。このとき、表示装置側で行われる輝度調整や音量調整は、本体装置のＯＳによる制御から独立して行われる。
【先行技術文献】
【特許文献】
【０００４】
【特許文献１】特開２００３−１４０８７９号公報
【特許文献２】特開２００５−１１５５５０号公報
【発明の概要】
【発明が解決しようとする課題】
【０００５】
輝度値は、表示装置の画面の明るさの調整に使用される。このため、表示装置側で実行された輝度調整の結果を本体装置のＯＳに通知する必要はない。しかしながら、音量値は、表示装置に設けられたスピーカで使用されるだけなく、本体装置にスピーカが設けられている場合、本体装置側で使用される状況が生じ得る。このため、表示装置側で実行された音量調整の結果を本体装置のＯＳに通知しないと、ＯＳは調整後の音量値を把握できないという課題がある。また、表示装置側と本体装置側とで別々に音量の調整を行うと、調整のためのユーザの操作や調整後の音量値の管理が表示装置と本体装置とで二重化して煩雑になる。また、表示装置側と本体装置側とで別系統で音量の制御を行うと、音量値を設定するためのボタンの数が増え、装置のデザイン性が悪くなったり、製造コストが高くなったりするおそれがある。
【０００６】
そこで、一側面では、本発明は、本体装置から取り外し可能な表示装置であって、本体装置と表示装置とで調整可能な音量値を一元的に管理することを目的とする。
【課題を解決するための手段】
【０００７】
一つの案では、第１のスピーカを有する本体装置から取り外し可能な表示装置であって、第２のスピーカと、調整モードを音声調整モードに切り替えるモード切替部と、前記調整モードが音声調整モードに切り替えられた際に調整された、前記第１又は第２のスピーカから出力される音声の音量値を前記本体装置に送信する第１の通信部と、を有する表示装置が提供される。
【発明の効果】
【０００８】
一態様によれば、本体装置と表示装置とで調整可能な音量値を一元的に管理することで、本体装置に設けられたスピーカから不適切な音量で音声が出力されることを回避できる。
【図面の簡単な説明】
【０００９】
【図１】一実施形態にかかる本体装置のハードウェア構成の一例を示した図。
【図２】一実施形態にかかる表示装置のハードウェア構成の一例を示した図。
【図３】一実施形態にかかる本体装置及び表示装置の機能構成の一例を示した図。
【図４】一実施形態にかかるＯＳＤ表示の一例を示す画面例。
【図５】一実施形態にかかるモード切替処理の一例を示すフローチャート。
【図６】一実施形態にかかるモード切り替え及び音量等調整を示すタイムチャート。
【図７】一実施形態にかかる調整処理の一例を示すフローチャート。
【発明を実施するための形態】
【００１０】
以下、本発明の実施形態について添付の図面を参照しながら説明する。なお、本明細書及び図面において、実質的に同一の機能構成を有する構成要素については、同一の符号を付することにより重複した説明を省く。
【００１１】
（はじめに）
以下では、本発明の一実施形態にかかる情報処理装置について説明する。一実施形態にかかる情報処理装置は、本体装置と本体装置から取り外し可能な表示装置とを有する。本体装置から取り外し可能な装置は、無線通信機能を有する機器であれば、ディスプレイに限られない。例えば、本体装置から取り外し可能な装置は、表示部を有するゲーム機器や表示部を有する再生機器であってもよい。
【００１２】
表示装置３と本体装置１とは物理的に着脱可能なドッキング構造を有する。かかる構成により、本実施形態にかかる情報処理装置は、表示装置３を本体装置１にドッキングさせて一体的に使用したり、表示装置３を本体装置１から取り外して使用したりすることができる。
【００１３】
以下で説明する一実施形態にかかる情報処理装置では、本体装置１が画像データを送信する送信側機器となり、表示装置３が本体装置１から送信された画像データを受信する受信側機器となる。つまり、本体装置１はアクセスポイント（ＡＰ）として動作し、表示装置３はステーション（ＳＴＡ）として動作する。
【００１４】
以下では、本体装置１及び表示装置３のハードウェア構成について説明する。次に、本体装置１及び表示装置３の機能構成について説明する。その後、輝度調整モード及び音量調整モードの切替処理と、輝度値及び音量値の調整処理について説明する。
【００１５】
［本体装置のハードウェア構成］
まず、本発明の一実施形態にかかる本体装置１のハードウェア構成について、図１を参照しながら説明する。図１は、一実施形態にかかる本体装置１のハードウェア構成の一例を示した図である。
【００１６】
本実施形態にかかる本体装置１は、ＣＰＵ（Central Processing Unit）１０１、ＭａｉｎＭｅｍｏｒｙ１０２、ＨＤＤ（Hard Disk Drive）１０３及びＳｌｉｍ−ＯＤＤ（Optical Disk Drive）１０４を有している。また、本体装置１は、ＷＬＡＮ１０５、ＬＡＮ１０６、アンテナ１０７及びＳｕｐｅｒＩＯ（Input/Output）１０８を有している。また、本体装置１は、ＢＩＯＳ（Basic Input/Output System）メモリ１０９、ＨＤＭＩ（High Definition Multimedia Interface  登録商標)１１０及びＤＶＩ（Digital Visual Interface）１１１を有している。さらに、本体装置１は、ＵＳＢＣＮＴ（Universal Serial Bus CoNTroller）１１２、ＵＳＢＣＮＴ１１３及びＰｏｗｅｒＳｕｐｐｌｙＵｎｉｔ１１４を有している。また、本体装置１は、Ｃｏｄｅｃ１１５及び第１のスピーカ１１５ａを有する。加えて、本実施形態にかかる本体装置１は、エンコーダプロセッサ（Ｅｎｃｏｄｅｒ  Ｐｒｏｃｅｓｓｏｒ）２０２、ＭａｉｎＭｅｍｏｒｙ２０３、ＷＬＡＮ２０４、アンテナ２０５、ＮＡＮＤ  Ｆｌａｓｈメモリ２０６、ＳＰＩ−ＲＯＭ２０７及びドッキング構造２１２を有する。
【００１７】
ＣＰＵ１０１は、本体装置１における主な処理回路の一例である。ＭａｉｎＭａｍｏｒｙ１０２、ＨＤＤ１０３及びＳｌｉｍ−ＯＤＤ１０４は、ＣＰＵ１０１とバスで接続されている。また、ＷＬＡＮ１０５、ＬＡＮ１０６、ＳｕｐｅｒＩＯ１０８、ＢＩＯＳメモリ１０９、ＨＤＭＩ１１０、ＤＶＩ１１１、ＵＳＢＣＮＴ１１２及びＵＳＢＣＮＴ１１３は、ＣＰＵ１０１とバスで接続されている。ＷＬＡＮ１０５は、アンテナ１０７と接続されている。ＰｏｗｅｒＳｕｐｐｌｙＵｎｉｔ１１４は、ＣＰＵ１０１等の各部に電力を供給する電源である。図１では、ＰｏｗｅｒＳｕｐｐｌｙＵｎｉｔ１１４から各部への電力供給用の線は図示していない。
【００１８】
ＨＤＤ１０３は、プログラムやデータを格納している不揮発性の記憶装置である。ＨＤＤ１０３に格納されるプログラムやデータには、装置全体を制御する基本ソフトウェアであるＯＳ、及びＯＳ上において各種機能を提供するアプリケーションソフトウェアなどがある。ＨＤＤ１０３は、ＯＳ、インストールされたアプリケーション、アンインストーラ及びレジストリなどを格納している。ＨＤＤ１０３は、後述されるモード切替処理及び音量等の調整処理を実行するためのアプリケーション（プログラム）が保存されている。
【００１９】
Ｓｌｉｍ−ＯＤＤ１０４は、光ディスクドライブである。配布版のアプリケーション及びアップデートデータなどが、光ディスクで配布された場合、Ｓｌｉｍ−ＯＤＤ１０４は、配布された光ディスクからデータを読み取り、保存する。
【００２０】
ＷＬＡＮ１０５は、アンテナ１０７を介して無線通信を行う。ＷＬＡＮ１０５は、ルータを経由してインターネット等のネットワークに接続され、外部とのデータの授受を行う。ＬＡＮ１０６も同様にインターネット等のネットワークに接続され、外部とのデータの授受を行う。配布版のアプリケーション及びアップデートデータなどは、例えば、ＷＬＡＮ１０５やＬＡＮ１０６を介してダウンロードされてもよい。
【００２１】
ＳｕｐｅｒＩＯ１０８は、入出力インターフェイスである。ＳｕｐｅｒＩＯ１０８には、例えば、キーボードやマウスが接続されてもよい。ＢＩＯＳメモリ１０９は、コンピュータに接続されたディスクドライブ、キーボード、ビデオカードなどを制御するプログラム群（例えば、ＢＩＯＳ）を格納した不揮発性記憶装置である。
【００２２】
ＨＤＭＩ１１０は、デジタル映像や音声を伝送させるためのインターフェイスである。本実施形態では、ＨＤＭＩ１１０を介して本体装置１で保存された画像データ等が本体装置１から表示装置３側に無線伝送される。
【００２３】
ＤＶＩ１１１は、例えば、モニタと接続されてもよく、本体装置１で保存された画像データ等をモニタに出力するインターフェイスである。ＵＳＢＣＮＴ１１２、１１３は、本体装置１が有するＵＳＢコネクタに接続されたＵＳＢデバイスの制御回路である。
【００２４】
ＣＰＵ１０１には、Ｃｏｄｅｃ１１５を介して第１のスピーカ１１５ａが接続されている。Ｃｏｄｅｃ１１５は、音声制御信号のデジタル信号をアナログ信号に変換し、増幅後の音声を第１のスピーカ１１５ａから出力する。音量制御信号は、音声と音量値の情報を有する。本実施形態にかかる情報処理装置では、本体装置１に第１のスピーカ１１５ａが設けられ、図２の表示装置３に第２のスピーカ３０９ａが設けられ、第１のスピーカ１１５ａと第２のスピーカ３０９ａとの切り替えが可能となっている。
【００２５】
ＭａｉｎＭａｍｏｒｙ２０３、ＮＡＮＤ  Ｆｌａｓｈメモリ２０６及びＳＰＩ−ＲＯＭ２０７は、エンコーダプロセッサ２０２とバスで接続されている。ＷＬＡＮ２０４は、エンコーダプロセッサ２０２とＵＳＢ（Ｕｎｉｖｅｒｓａｌ  Ｓｅｒｉａｌ  Ｂｕｓ）で接続されている。また、ＷＬＡＮ２０４は、アンテナ２０５と接続され、本体装置１の画像データを表示装置３に送信する。
【００２６】
エンコーダプロセッサ２０２は、ＣＰＵ１０１よりも低電力でかつＣＰＵ１０１よりも単機能の処理を行うための専用プロセッサーである。本体装置１の画像データは、ＨＤＭＩ１１０を介してＣＰＵ１０１からエンコーダプロセッサ２０２に入力される。エンコーダプロセッサ２０２は、例えば、画像データを圧縮や符号化した後、ＷＬＡＮ２０４を介して表示装置３に送信する。
【００２７】
ドッキング構造２１２は、図２に示したドッキング構造３１２と連結可能な構造を有するコネクタである。ドッキング構造２１２には複数の端子が設けられ、ドッキング構造３１２との物理的なドッキングにより本体装置１と表示装置３との電気的な接続を可能とする。
【００２８】
［表示装置のハードウェア構成］
次に、本発明の一実施形態にかかる表示装置３のハードウェア構成について、図２を参照しながら説明する。図２は、一実施形態にかかる表示装置３のハードウェア構成の一例を示した図である。
【００２９】
本実施形態にかかる表示装置３は、ＵＳＢマイコン３０１、デコーダプロセッサ（Ｄｅｃｏｄｅｒ  Ｐｒｏｃｅｓｓｏｒ）３０２、ＭａｉｎＭｅｍｏｒｙ３０３、ＵＳＢハブ３０４、ＷＬＡＮ３０５及びアンテナ３０６を有する。また、表示装置３は、ＮＡＮＤ  Ｆｌａｓｈメモリ３１０及びＳＰＩ−ＲＯＭ３１１を有する。また、表示装置３には、Ｍｅｎｕボタン３０７、Ｕｐボタン３０８ａ、Ｄｏｗｎボタン３０８ｂ、増幅器３０９及び第２のスピーカ３０９ａが設けられている。
【００３０】
デコーダプロセッサ３０２は、ＵＳＢマイコン３０１、ＭａｉｎＭａｍｏｒｙ３０３、ＵＳＢハブ３０４、ＮＡＮＤ  Ｆｌａｓｈメモリ３１０及びＳＰＩ−ＲＯＭ３１１とバスで接続されている。ＷＬＡＮ３０５は、ＵＳＢハブ３０４を介してデコーダプロセッサ３０２と接続されている。ＷＬＡＮ３０５は、アンテナ３０６と接続され、本体装置１のエンコーダプロセッサ２０２から画像データを受信する。ＵＳＢハブ３０４は、ＷＬＡＮ３０５及びデコーダプロセッサ３０２を中継する。デコーダプロセッサ３０２は、転送された画像データの解凍や復号を行い、画像データをＬＣＤ(Liquid Crystal Display)パネル３１３に表示する。ＬＣＤパネル３１３は、表示装置３に設けられたディスプレイ（表示部）の一例である。
【００３１】
ＵＳＢマイコン３０１は、後述される輝度制御信号をＬＣＤパネル３１３に出力する。輝度制御信号は、ＬＣＤパネル３１３のバックライトのオン及びオフの情報と輝度値の情報を有する。ＵＳＢマイコン３０１は、輝度制御信号に基づきＬＣＤパネル３１３のバックライトのオン及びオフと、バックライトの輝度を制御する。
【００３２】
デコーダプロセッサ３０２は、ＣＰＵ１０１よりも低電力でかつＣＰＵ１０１よりも単機能の処理を行うための専用プロセッサーである。これにより、携帯可能な表示装置３の軽量化を図ることができる。ＮＡＮＤ  Ｆｌａｓｈメモリ３１０やＳＰＩ−ＲＯＭ３１１は、デコーダプロセッサ３０２により実行されるプログラム等、各種データやプログラムを格納する。
【００３３】
デコーダプロセッサ３０２及びエンコーダプロセッサ２０２間では、常に画像データが転送され、その映像はＬＣＤパネル３１３に表示されるようになっている。この状況においてデコーダプロセッサ３０２に画像データの転送処理と異なる処理を行わせると、画像データの転送処理が一時的に中断してＬＣＤパネル３１３に表示される映像品質の悪化を招くおそれがある。よって、本実施形態にかかるデコーダプロセッサ３０２は、画像データの転送処理以外の処理を極力行わないようにし、ディスプレイ３のＬＣＤパネル３１３に表示される映像の品質の安定性を確保するようにする。
【００３４】
そこで、本実施形態では、ＵＳＢマイコン３０１が、輝度や音量の調整モードの切り替え処理や、輝度値や音量値の調整処理を行う。デコーダプロセッサ３０２は、ＵＳＢマイコン３０１による調整処理のための輝度や音量が設定可能な設定画面のＯＳＤ表示を制御する。つまり、デコーダプロセッサ３０２は、画像データに輝度等の設定画面を重畳させてＬＣＤパネル３１３に表示する。
【００３５】
Ｍｅｎｕボタン３０７は、輝度及び音量の調整モードを切り替える際に押される物理ボタンである。Ｕｐボタン３０８ａ及びＤｏｗｎボタン３０８ｂは、各調整モードにおける設定値を変更する際に押される物理ボタンである。つまり、Ｍｅｎｕボタン３０７を押下することにより、輝度調整モードと音量調整モードとが切り替わる。現在の調整モードが輝度調整モードのとき、Ｕｐボタン３０８ａ又はＤｏｗｎボタン３０８ｂを押すことにより、輝度値を上げるか又は下げることができる。現在の調整モードが音量調整モードのとき、Ｕｐボタン３０８ａ又はＤｏｗｎボタン３０８ｂを押すことにより、音量値を上げるか又は下げることができる。Ｍｅｎｕボタン３０７、Ｕｐボタン３０８ａ及びＤｏｗｎボタン３０８ｂは、ＵＳＢマイコン３０１に接続されている。ＵＳＢマイコン３０１は、Ｍｅｎｕボタン３０７、Ｕｐボタン３０８ａ及びＤｏｗｎボタン３０８ｂをユーザが操作することに応じて、調整モードの切り替えと輝度値及び音量値の調整とを行う。
【００３６】
増幅器３０９及び第２のスピーカ３０９ａは、デコーダプロセッサ３０２に接続されている。増幅器３０９は、音声制御信号を増幅し、第２のスピーカ３０９ａから出力する。
【００３７】
ＵＳＢマイコン３０１が取得した現在の調整モードと調整後の輝度値又は音量値のうち、調整後の音量値は、音声制御信号に含めてデコーダプロセッサ３０２に出力される。そして、音量値は、デコーダプロセッサ３０２から本体装置１側のエンコーダプロセッサ２０２に送信され、エンコーダプロセッサ２０２からＣＰＵ１０１に通知される。
【００３８】
ＣＰＵ１０１は、通知された調整後の設定値に基づき、ＨＤＤ１０３のＯＳを動作させて、音声制御信号に含まれる調整後の音量値に基づき、第１のスピーカ１１５ａから出力される音声の音量を制御する。また、調整後の音量値は、ＨＤＤ１０３に保存される。これにより、本実施形態にかかる情報処理装置では、第１のスピーカ１１５ａを有する本体装置１と第２のスピーカ３０９ａを有する表示装置３の各スピーカの音量を一元的に管理することができる。この結果、表示装置３を本体装置１にセットした状態で第１のスピーカ１１５ａから音声を出力する際に不適切な音量となることを回避することができる。
【００３９】
ドッキング構造３１２は、ドッキング構造２１２と連結可能な構造を有するコネクタである。
【００４０】
以上、一実施形態にかかる本体装置１及び表示装置３のハードウェア構成について説明した。次に、本実施形態にかかる本体装置１及び表示装置３の機能構成の一例について、図３を参照しながら説明する。
【００４１】
［本体装置の機能構成］
本体装置１は、無線通信部２５０、制御部２５１、記憶部２５２及び音声制御部２５３を有する。無線通信部２５０は、画像データや各種制御データを表示装置３に送受信する。無線通信部２５０は、調整モードが音声調整モードに切り替えられた際に調整された、第２のスピーカ３０９ａから出力される音量値を表示装置３から受信する第２の通信部の一例である。
【００４２】
制御部２５１は、本体装置１の全体を制御する。例えば、制御部２５１は、ＯＳを起動させて本体装置１が有する各機能を制御する。記憶部２５２は、表示装置３から受信した音量値を保存する。
【００４３】
音声制御部２５３は、表示装置３から受信した音量値に基づき第１のスピーカ１１５ａから出力する音声の音量値を制御する。
【００４４】
なお、本実施形態では、無線通信部２５０の機能は、主に、ＷＬＡＮ２０４により実現される。制御部２５１及び音声制御部２５３の機能は、主にＣＰＵ１０１により実現される。記憶部２５２は、主にＨＤＤ１０３により実現される。ＣＰＵ１０１は、表示装置３から受信した音量値をＨＤＤ１０３に保存する。ＣＰＵ１０１は、該音量値に基づき第１のスピーカ１１５ａから所望の音量の音声を出力する。
【００４５】
［表示装置の機能構成］
表示装置３は、モード切替部３５０、タイマー３５１、無線通信部３５２、調整部３５３、表示制御部３５４及び音声制御部３５５を有する。
【００４６】
モード切替部３５０は、Ｍｅｎｕボタン３０７の押下に応じて現在の調整モードを音声調整モードと輝度調整モードとのいずれか一方から他方に切り替える。モード切替部３５０は、ＯＳＤ表示中に再度Ｍｅｎｕボタン３０７が押されることに応じて再度調整モードを輝度調整モードと音量調整モードとの間で切り替える。
【００４７】
タイマー３５１は、所定時間を計時する。調整部３５３は、現在の調整モードに応じて音量値又は輝度値のいずれかを調整する。
【００４８】
現在の調整モードが音声調整モードのとき、調整部３５３は、Ｕｐボタン３０８ａ又はＤｏｗｎボタン３０８ｂのユーザ操作に応じて音量の設定値（音量値）を変更する。調整部３５３は、ＬＣＤパネル３１３に描画された映像に重畳させて表示した音量調整の設定画面上のプラス（＋）ボタン又はマイナス（−）ボタンのユーザ操作に応じて音量値を変更してもよい。
【００４９】
現在の調整モードが輝度調整モードのとき、調整部３５３は、Ｕｐボタン３０８ａ又はＤｏｗｎボタン３０８ｂのユーザ操作に応じて輝度の設定値（輝度値）を変更する。調整部３５３は、ＬＣＤパネル３１３に映像に重畳させて表示した輝度調整の設定画面上のプラス（＋）ボタン又はマイナス（−）ボタンのユーザ操作に応じて輝度値を変更してもよい。
【００５０】
表示制御部３５４は、ＬＣＤパネル３１３の明るさを制御する。表示制御部３５４は、調整モードが輝度調整モードに切り替えられた際に調整された輝度値に基づきＬＣＤパネル３１３の明るさを制御する。
【００５１】
また、表示制御部３５４は、調整モードの切り替えに応じて音量値の調整が可能な設定画面と輝度値の調整が可能な設定画面とを切り替えてＬＣＤパネル３１３に描画された画像データに重畳させて表示する（ＯＳＤ表示）。
【００５２】
音声制御部３５５は、第２のスピーカ３０９ａから出力される音声の音量を制御する。音声制御部３５５は、調整モードが音量調整モードに切り替えられた際に調整された音量値に基づき第２のスピーカ３０９ａから出力する音声の音量を制御する。
【００５３】
無線通信部３５２は、調整後の音量値を本体装置１に送信する。無線通信部３５２は、調整モードが音声調整モードに切り替えられた際に調整された、前記第１又は第２のスピーカから出力される音声の音量値を本体装置１に送信する第１の通信部の一例である。
【００５４】
なお、本実施形態では、モード切替部３５０及び調整部３５３の機能は、主にＵＳＢマイコン３０１により実現される。表示制御部３５４及び音声制御部３５５の機能は、主にデコーダプロセッサ３０２により実現される。無線通信部３５２の機能は、主にＷＬＡＮ３０５により実現される。
【００５５】
以上、本実施形態にかかる本体装置１及び表示装置３の機能構成について説明した。次に、調整モードの切り替えとＯＳＤ表示について、図４を参照しながら説明する。
【００５６】
［調整モードの切り替えとＯＳＤ表示］
調整モードが輝度調整モードに切り替えられたとき、図４（ｂ）に示すように、輝度調整用の設定画面４００ａが表示される。輝度調整用の設定画面４００ａには、サイドの＋−ボタンにユーザがタッチすることでＬＣＤパネル３１３の輝度調整が可能なアイコン４０１が表示されている。また、設定画面４００ａには、表示装置３が備える図示しないバッテリーの充電状態を示すアイコン４０２と無線通信における電波状態を示すアイコン４０３とが表示される。図４（ａ）に示すように、表示制御部３５４は、輝度調整用の設定画面４００ａをＬＣＤパネル３１３の画面上の画像データに重畳させて表示する（ＯＳＤ表示）。
【００５７】
調整モードが音量調整モードに切り替えられたとき、図４（ｃ）に示すように、音量調整用の設定画面４００ｂが表示される。音量調整用の設定画面４００ｂには、サイドの＋−ボタンにユーザがタッチすることにより音量を調整可能なアイコン４０１と、バッテリーの充電状態を示すアイコン４０２と、無線通信における電波の状態を示すアイコン４０３とが表示される。調整モードが音量調整モードに切り替えられたとき、表示制御部３５４は、輝度調整用の設定画面４００ａを音量調整用の設定画面４００ｂに切り替え、ＯＳＤ表示を行う。
【００５８】
ユーザは、輝度調整用の設定画面４００ａに表示されたアイコン（＋、−）を操作することにより輝度値の調整（設定値の変更）を行ってもよい。また、ユーザは、Ｕｐボタン３０８ａ及びＤｏｗｎボタン３０８ｂを押下することで輝度値の調整を行ってもよい。
【００５９】
また、ユーザは、音量調整用の設定画面４００ｂに表示されたアイコン（＋、−）を操作することにより、表示装置３側で音量値の調整（設定値の変更）を行ってもよい。ユーザは、ＯＳが提供する音量調整の画面において音量の設定値を変更する操作を行うことにより、本体装置１側で音量値の調整（設定値の変更）を行ってもよい。本実施形態にかかる情報処理装置では、本体装置１に第１のスピーカ１１５ａが設けられ、表示装置３に第２のスピーカ３０９ａが設けられている。よって、例えば、表示装置３が本体装置１から取り外された状態では、第２のスピーカ３０９ａから音声が出力されるため、第２のスピーカ３０９ａの音声の音量を調整する必要がある。一方、表示装置３が本体装置１に取り付けられた状態において、第２のスピーカ３０９ａから音声を出力せずに、第１のスピーカ１１５ａから音声を出力することも考えられる。その場合、表示装置３側で調整された音量値を本体装置１に通知し、通知された音量値に基づき第１のスピーカ１１５ａから音声を出力する必要がある。
【００６０】
例えば、本体装置１側の第１のスピーカ１１５ａが第２のスピーカ３０９ａよりも音質が良い場合、表示装置３が本体装置１にドッキングして一体化しているときには、本体装置１側の第１のスピーカ１１５ａを優先して使用するように自動制御されることが好ましい。そして、表示装置３が本体装置１から取り外されたときには、ユーザが表示装置３のみを携帯していることが想定されるため、第１のスピーカ１１５ａから第２のスピーカ３０９ａに出力先のスピーカを切り替えて使用するように自動制御される必要がある。
【００６１】
このような場合においても、本実施形態にかかる情報処理装置では、表示装置３側で調整された音量値が本体装置１側に通知され、本体装置１側で調整された音量値が表示装置３側に通知される。これにより、本体装置１に設けられた第１のスピーカ１１５ａと表示装置３に設けられた第２のスピーカ３０９ａとから出力される音声の音量値は本体装置１側の制御部２５１で一元的に管理できる。これにより、第１のスピーカ１１５ａから不適切な音量で音声が出力されることを回避できる。
【００６２】
このように、本実施形態にかかる情報処理装置では、ユーザが音量値及び輝度値のどちらを調整したいかによって物理ボタン（Ｍｅｎｕボタン３０７）を操作して調整モードを切り替える。調整モードが音量調整モードの場合、調整された音量値は本体装置１の制御部２５１に通知される。一方、輝度調整モードの場合、調整された輝度値は表示装置３が管理し、本体装置１には通知されない。
【００６３】
これにより、本実施形態にかかる情報処理装置では、輝度値については表示装置３側で制御し、本体装置１側への輝度値の通知は行わないため、制御時間の短縮が図れ、ユーザの操作性を高めることができる。また、本実施形態にかかる情報処理装置では、Ｍｅｎｕボタン３０７で調整モードを切り替え、Ｕｐボタン３０８ａ及びＤｏｗｎボタン３０８ｂドで輝度値又は音量値を変更できるため、ボタンの数を減らすことができる。これにより、装置のデザイン性に優れ、かつ製造コストを抑えたた表示装置３を提供することができる。
【００６４】
なお、音量値を表示装置３から本体装置１に通知する場合、表示装置３は、音量値が含まれた音声制御信号を本体装置１に送信する。また、音量値を本体装置１から表示装置３に通知する場合、本体装置１は、音量値が含まれた音声制御信号を表示装置３に送信する。これにより、本体装置１及び表示装置３のいずれにおいても最新の音量値を管理できる。ただし、表示装置３は、音量値を本体装置１に通知する必要があるが、本体装置１は、音量値を表示装置３に通知しなくてもよい。
【００６５】
［調整モードの切替処理］
次に、調整モードの切替処理及び輝度及び音量の調整処理について、図５〜図７を参照しながら説明する。まず、本実施形態にかかる調整モードの切替処理について図５及び図６を参照して説明する。図５は、本実施形態にかかる調整モードの切替処理の一例を示すフローチャートである。図６は、本実施形態にかかる調整モードの切り替え処理及び音量等の調整処理を示すタイムチャートである。モードの切替処理は、表示装置３の主にモード切替部３５０によって実行される。
【００６６】
調整モードの切替処理が開始されると、モード切替部３５０は、Ｍｅｎｕボタン３０７が押下されたかを判定する（ステップＳ１０）。ユーザがＭｅｎｕボタン３０７を押すまで、モード切替部３５０は、所定時間毎にステップＳ１０を繰り返す。ユーザがＭｅｎｕボタン３０７を押したとき、モード切替部３５０は、ステップＳ１２に進み、現在の調整モードの設定画面をＯＳＤ表示する。
【００６７】
一例としては、図６の「Ｍｅｎｕボタン監視」に示すように、Ｍｅｎｕボタン３０７が押下されると、ボタンイベントの通知がＵＳＢマイコン３０１に送られる（ステップＳ１０１）。ＵＳＢマイコン３０１は、ＯＳＤの表示要求をデコーダプロセッサ３０２に送信する（ステップＳ１０２）。デコーダプロセッサ３０２は、ＯＳＤの表示要求を受信すると、ＬＣＤパネル３１３に現在の調整モードの設定画面をＯＳＤ表示する（ステップＳ１２１）。これにより、ＬＣＤパネル３１３の設定画面上で現在の調整モードの輝度値又は音量値の変更が可能になる。
【００６８】
例えば、現在の調整モードが輝度調整モードの場合、図４（ｂ）に示す輝度調整用の設定画面４００ａが、ＬＣＤパネル３１３にＯＳＤ表示される（図４（ａ）参照）。例えば、現在の調整モードが音量調整モードの場合、図４（ｃ）に示す音量調整用の設定画面４００ｂが、ＬＣＤパネル３１３にＯＳＤ表示される。
【００６９】
図５に戻り、次に、モード切替部３５０は、所定時間内にＭｅｎｕボタン３０７が押下されたかを判定する（ステップＳ１４）。ユーザが所定時間内に再度Ｍｅｎｕボタン３０７を押したとき、モード切替部３５０は、ステップＳ１６に進み、調整モードを切り替え、切り替え後の調整モードの設定画面をＬＣＤパネル３１３に表示する。
【００７０】
一例としては、図６の「モード切り替え監視」に示すように、所定時間（ここでは４秒）以内に再度Ｍｅｎｕボタン３０７が押下された場合、ボタンイベントの通知がＵＳＢマイコン３０１に送られる（ステップＳ１４１）。ＵＳＢマイコン３０１は、調整モードの変更をデコーダプロセッサ３０２に通知する（ステップＳ１４２）。
【００７１】
デコーダプロセッサ３０２は、調整モードの変更通知を受信すると、ＬＣＤパネル３１３に変更後の調整モードの設定画面をＬＣＤパネル３１３上の映像に重ねて表示する（ＯＳＤ表示：ステップＳ１６１）。これにより、ＬＣＤパネル３１３の設定画面上で切り替え後の調整モードの輝度値又は音量値の変更が可能になる。
【００７２】
例えば、現在の調整モードが輝度調整モードであった場合、変更後の調整モードは音量調整モードになる。その結果、ＬＣＤパネル３１３には、図４（ｂ）に示す輝度調整用の設定画面４００ａから図４（ｃ）に示す音量調整用の設定画面４００ｂに画面が切り替えられてＯＳＤ表示される。
【００７３】
現在の調整モードが音量調整モードであった場合、変更後の調整モードは輝度調整モードになる。その結果、ＬＣＤパネル３１３には、図４（ｃ）に示す音量調整用の設定画面４００ｂから図４（ｂ）に示す輝度調整用の設定画面４００ａに画面が切り替えられてＯＳＤ表示される。
【００７４】
ステップＳ１４において、所定時間内に再度Ｍｅｎｕボタン３０７が押されなかった場合、モード切替部３５０は、本処理を終了する。
【００７５】
［輝度及び音量の調整処理］
次に、本実施形態にかかる輝度及び音量調整処理について図７及び図６を参照して説明する。図７は、本実施形態にかかる輝度及び音量調整処理の一例を示すフローチャートである。輝度及び音量の調整処理は、表示装置３の主に調整部３５３によって実行される。
【００７６】
輝度及び音量調整処理が開始されると、調整部３５３は、Ｕｐボタン３０８ａ又はＤｏｗｎボタン３０８ｂが押下されたかを判定する（ステップＳ２０）。ユーザがＵｐボタン３０８ａ又はＤｏｗｎボタン３０８ｂを押すまで、調整部３５３は、所定時間毎にステップＳ２０を繰り返す。ユーザがＵｐボタン３０８ａ又はＤｏｗｎボタン３０８ｂを押したとき、調整部３５３は、ステップＳ２２に進み、現在の調整モードが音量調整モード又は輝度調整モードのいずれかを判定する。調整部３５３は、現在の調整モードが輝度調整モードであると判定した場合、調整された輝度値に基づきＰＷＭ値を変更する（ステップＳ２４）。輝度値を下げる場合、パルス幅を狭めてＰＷＭ（Ｐｕｌｓｅ  Ｗｉｄｔｈ  Ｍｏｄｕｌａｔｉｏｎ）のデューティ比を上げるようにＰＷＭ値を変更する。輝度値を上げる場合、パルス幅を広げてＰＷＭのデューティ比を下げるようにＰＷＭ値を変更する。
【００７７】
次に、表示制御部３５４は、ＰＷＭ値に基づきＬＣＤパネル３１３の輝度を調整し、画面の明るさを制御する（ステップＳ２６）。
【００７８】
一例としては、図６の「輝度の変更」に示すように、Ｕｐボタン３０８ａ又はＤｏｗｎボタン３０８ｂが押下されると、ボタンイベントの通知がＵＳＢマイコン３０１に送られる（ステップＳ２０１）。ＵＳＢマイコン３０１は、変更後の輝度値をデコーダプロセッサ３０２に通知するとともに、ＯＳＤの表示要求を送信する（ステップＳ２４１）。
【００７９】
デコーダプロセッサ３０２は、ＯＳＤの表示要求を受信すると、輝度値の設定画面をＬＣＤパネル３１３にＯＳＤ表示する（ステップＳ２６１）。これにより、ユーザはＬＣＤパネル３１３上でタッチ操作により輝度値を変更できる。
【００８０】
図７に戻り、ステップＳ２２にて、調整部３５３が、現在の調整モードは音量調整モードであると判定した場合、無線通信部３５２は、調整後の音量値を本体装置１に通知する（ステップＳ２８）。次に、調整部３５３は、使用するスピーカを判定する（ステップＳ３０）。調整部３５３は、使用するスピーカが表示装置３側のスピーカであると判定した場合、第２のスピーカ３０９ａの音量値を調整し（ステップＳ３２）、本処理を終了する。調整部３５３は、使用するスピーカが本体装置１側のスピーカであると判定した場合、第１のスピーカ１１５ａの音量値を調整し（ステップＳ３４）、本処理を終了する。
【００８１】
ステップＳ２８〜Ｓ３４では、表示装置３側で実行される音量の調整処理の一例を示した。この表示装置３側で実行される音量調整の具体例について、図６の「音量の変更（Ｍｅｎｕボタンで制御した場合）」を参照しながら説明する。その後、本体装置１側で実行される音量調整の一例について、図６の「音量の変更（ＯＳから変更した場合）」を参照しながら説明する。
【００８２】
図６の「音量の変更（Ｍｅｎｕボタンで制御した場合）」では、Ｕｐボタン３０８ａ又はＤｏｗｎボタン３０８ｂが押下されると、ボタンイベントの通知がＵＳＢマイコン３０１に送られる（ステップＳ２０２）。ＵＳＢマイコン３０１は、変更後の音量値をデコーダプロセッサ３０２に通知するとともに、ＯＳＤの表示要求を送信する（ステップＳ２８１）。
【００８３】
デコーダプロセッサ３０２は、ＯＳＤの表示要求を受信すると、音量値の設定画面をＬＣＤパネル３１３にＯＳＤ表示する（ステップＳ３２１）。これにより、ユーザはＬＣＤパネル３１３上でタッチ操作により音量値を変更できる。調整後の音量値は、デコーダプロセッサ３０２→エンコーダプロセッサ２０２→制御部２５１と転送される。これにより、調整後の音量値を、制御部２５１のＯＳにより一元的に管理することができる。これにより、調整後の音量値に基づき、第１のスピーカ１１５ａから出力される音声の音量を適切に調整することができる。この結果、使用されるスピーカが表示装置３側の第２のスピーカ３０９ａから本体装置１側の第１のスピーカ１１５ａに切り替えられた場合においても、第１のスピーカ１１５ａから不適切な音量で音声が出力されることを回避できる。
【００８４】
本体装置１側で実行される音量調整の一例について、図６の「音量の変更（ＯＳから変更した場合）」を参照しながら説明する。ユーザ操作に応じて本体装置１の制御部２５１（ＯＳ）により音量調整が行われると、制御部２５１（ＯＳ）は、調整後の音量値をエンコーダプロセッサ２０２に通知する（ステップＳ３４１）。調整後の音量値は、エンコーダプロセッサ２０２からデコーダプロセッサ３０２に通知され（ステップＳ３４２）、デコーダプロセッサ３０２からＵＳＢマイコン３０１に通知される（ステップＳ３４３）。これにより、調整後の音量値に基づき、第２のスピーカ３０９ａから出力される音声の音量を適切に調整することができる。この結果、使用されるスピーカが本体装置１側の第１のスピーカ１１５ａから表示装置３側の第２のスピーカ３０９ａに切り替えられた場合においても、第２のスピーカ３０９ａから不適切な音量で音声が出力されることを回避できる。
【００８５】
（スピーカの自動切り替え処理）
なお、音量調整の場合、本体装置１側の第１のスピーカ１１５ａと表示装置３側の第２のスピーカ３０９ａとのいずれの音量を調整すべきかの決定は次のように行うことができる。例えば、優先して第１のスピーカ１１５ａの音量を調整する、優先して第２のスピーカ３０９ａの音量を調整する、又はスピーカの自動切り替え処理により切り替えられたスピーカの音量を調整する、のいずれかを選択できる。
【００８６】
具体例としては、本体装置１の制御部２５１は、表示装置３が本体装置１にドッキングして一体化しているとき、第１のスピーカ１１５ａと第２のスピーカ３０９ａとのいずれを優先して使用するかをスピーカの自動切り替え処理を行うプログラムを実行することにより自動制御してもよい。この自動制御において、表示装置３が本体装置１にドッキングしているときは、本体装置１の第１のスピーカ１１５ａに切り替え、表示装置３が本体装置１にドッキングしていないときは、表示装置３の第２のスピーカ３０９ａに切り替えることが好ましい。
【００８７】
（現在の調整モードの自動切り替え処理）
また、表示装置３のモード切替部３５０は、現在の調整モードの自動切り替え処理を実行してもよい。例えば、モード切替部３５０は、表示装置３のＬＣＤパネル３１３の画面が消えているか否かを検出し、ＬＣＤパネル３１３の画面が消えているとき、現在の調整モードを音量調整モードに自動で切り替えてもよい。これによれば、ＬＣＤパネル３１３の画面が消されている状態で、ユーザが本実施形態にかかる情報処理装置を使用して音楽を聴きたいとき、ＵＰボタン３０８ａ及びＤｏｗｎボタン３０８ｂを操作して音量を調整することができる。
【００８８】
以上に説明したように、本実施形態にかかる情報処理装置によれば、本体装置１から取り外し可能な表示装置３を有し、本体装置１と表示装置３とで調整可能な音量値をＯＳにより一元的に管理することができる。これにより、本体装置１に設けられた第１のスピーカ１１５ａから不適切な音量で音声が出力されることを回避できる。また、表示装置３に設けられた第２のスピーカ３０９ａから不適切な音量で音声が出力されることを回避できる。
【００８９】
以上、表示装置、本体装置及び情報処理装置を上記実施形態により説明した。しかしながら、本発明にかかる表示装置、本体装置及び情報処理装置は上記実施形態に限定されるものではなく、本発明の範囲内で種々の変形及び改良が可能である。また、上記複数の実施形態に記載された事項は、矛盾しない範囲で組み合わせることができる。また、上記表示装置、本体装置及び情報処理装置において実現される各機能は、ハードウェアにより構成されてもよく、ソフトウェアにより構成されてもよく、ハードウェアとソフトウェアとを組み合わせて構成されてもよい。
【００９０】
以上の説明に関し、更に以下の項を開示する。
（付記１）
第１のスピーカを有する本体装置から取り外し可能な表示装置であって、
第２のスピーカと、
調整モードを音声調整モードに切り替えるモード切替部と、
前記調整モードが音声調整モードに切り替えられた際に調整された、前記第１又は第２のスピーカから出力される音声の音量値を前記本体装置に送信する第１の通信部と、
を有する、表示装置。
（付記２）
前記モード切替部は、
前記調整モードを輝度調整モードに切り替え、
前記調整モードが輝度調整モードに切り替えられた際に調整された輝度値に基づきディスプレイの明るさを制御する表示制御部を有する、
付記１に記載の表示装置。
（付記３）
前記表示制御部は、
前記調整モードの切り替えに応じて前記音量値又は輝度値のいずれかの調整が可能な設定画面を切り替えて前記ディスプレイ上の画像データに重畳させて表示する、
付記２に記載の表示装置。
（付記４）
第２のスピーカを有する表示装置を取り外し可能な本体装置であって、
第１のスピーカと、
前記調整モードが音声調整モードに切り替えられた際に調整された、前記第１又は第２のスピーカから出力される音声の音量値を前記表示装置から受信する第２の通信部と、
前記表示装置から受信した音量値に基づき前記第１のスピーカから出力する音声の音量値を制御する音声制御部と、
を有する、本体装置。
（付記５）
第１のスピーカを有する本体装置と、前記本体装置から取り外し可能な表示装置とを有する情報処理装置であって、
前記表示装置は、
第２のスピーカと、
調整モードを音声調整モードに切り替えるモード切替部と、
前記調整モードが音声調整モードに切り替えられた際に調整された、前記第１又は第２のスピーカから出力される音声の音量値を前記本体装置に送信する第１の通信部とを有し、
前記本体装置は、
前記第１のスピーカと、
前記音量値を前記表示装置から受信する第２の通信部と、
前記表示装置から受信した音量値に基づき前記第１のスピーカから出力される音声の音量値を制御する音声制御部とを有する、
情報処理装置。
（付記６）
前記モード切替部は、
前記調整モードを輝度調整モードに切り替え、
前記調整モードが輝度調整モードに切り替えられた際に調整された輝度値に基づきディスプレイの明るさを制御する表示制御部を有する、
付記５に記載の表示装置。
（付記７）
前記表示制御部は、
前記調整モードの切り替えに応じて前記音量値又は輝度値のいずれかの調整が可能な設定画面を切り替えて前記ディスプレイ上の画像データに重畳させて表示する、
付記６に記載の表示装置。
【符号の説明】
【００９１】
１１５ａ：第１のスピーカ
２０２：エンコーダプロセッサ
２０４：ＷＬＡＮ
２１２：ドッキング構造
２５０：無線通信部
２５１：制御部
２５２：記憶部
２５３：音声制御部
３０１：ＵＳＢマイコン
３０２：デコーダプロセッサ
３０５：ＷＬＡＮ
３０７：Ｍｅｎｕボタン
３０８ａ：Ｕｐボタン
３０８ｂ：Ｄｏｗｎボタン
３０９ａ：第２のスピーカ
３１２：ドッキング構造
３１３：ＬＣＤパネル
３５０：モード切替部
３５２：無線通信部
３５３：調整部
３５４：表示制御部
３５５：音声制御部
４００ａ：輝度調整用の設定画面
４００ｂ：音量調整用の設定画面
【図１】
2016032130.tif 000003
【図２】
2016032130.tif 000004
【図３】
2016032130.tif 000005
【図４】
2016032130.tif 000006
【図５】
2016032130.tif 000007
【図６】
2016032130.tif 000008
【図７】
2016032130.tif 000009